(57)【要約】【課題】転送レートを大きくすることができ、狭トラック化および低コスト化を図ることが可能な回転ヘッド装置およびこれを用いた磁気記録再生装置を提供する。【解決手段】第１のアジマス角度を有する２つ以上の磁気再生素子１１３ａ，１１３ｂ，１１３ｅ，１１３ｆを有する第１の磁気ヘッドＨ１００Ａ，Ｈ１００Ｃと、第２のアジマス角度を有する２つ以上の磁気再生素子１１３ｃ，１１３ｄ，１１３ｇ，１１３ｈを有する第２の磁気ヘッドＨ１００Ｂ，Ｈ１００Ｄとが回転ドラム１００ａに搭載されている。磁気ヘッドＨ１００Ａ，Ｈ１００Ｂ，Ｈ１００Ｃ，Ｈ１００Ｄのそれぞれの磁気再生素子１１３ａ，１１３ｂ，１１３ｃ，１１３ｄ，１１３ｅ，１１３ｆ，１１３ｇ，１１３ｈは、３以上の奇数本の記録トラックを挟んで同じアジマス角度で記録された記録トラックを同時に走査する。【選択図】    図４
2004164751.tif 000002
【特許請求の範囲】
【請求項１】
外周面が記録媒体との摺動面となる回転ドラムと、前記回転ドラムの摺動面に位置する複数の磁気ヘッドとが設けられた回転ヘッド装置において、
前記回転ドラムには、記録媒体との摺動方向に対して第１のアジマス角度を有する少なくとも２つの磁気再生素子を有する第１の磁気ヘッドと、記録媒体との摺動方向に対して前記第１のアジマス角度と逆に傾斜した第２のアジマス角度を有する少なくとも２つの磁気再生素子を有する第２の磁気ヘッドとが搭載されており、
回転ドラムが回転するときに、前記第１の磁気ヘッドのそれぞれの磁気再生素子が、３以上の奇数本の記録トラックを挟んで同じアジマス角度で記録された記録トラックを同時に走査し、前記第２の磁気ヘッドのそれぞれの磁気再生素子が、３以上の奇数本の記録トラックを挟んで前記第１の磁気ヘッドの磁気再生素子が走査する記録トラックと異なるアジマス角度で記録された記録トラックを同時に走査するように、第１の磁気ヘッドと第２の磁気ヘッドが位置決めされていることを特徴とする回転ヘッド装置。
【請求項２】
前記第１の磁気ヘッドに設けられた前記磁気再生素子が記録トラックを走査した後に、前記第２の磁気ヘッドに設けられた前記磁気再生素子が、前記第１の磁気ヘッドに設けられた前記磁気再生素子が走査した記録トラックに隣接した記録トラックを走査する請求項１記載の回転ヘッド装置。
【請求項３】
前記第１の磁気ヘッドと前記第２の磁気ヘッドとが接近した状態で前記回転ドラムに設けられている請求項１または２記載の回転ヘッド装置。
【請求項４】
前記第１の磁気ヘッドと前記第２の磁気ヘッドとが接近して配置されて組を成し、この第１の磁気ヘッドと第２の磁気ヘッドとから成る組が前記回転ドラムに２組設けられており、前記それぞれの組は、前記回転ドラムの回転方向に向って９０°の角度で配置されている請求項３記載の回転ヘッド装置。
【請求項５】
前記第１の磁気ヘッドと前記第２の磁気ヘッドとが接近して配置されて組を成し、この第１の磁気ヘッドと第２の磁気ヘッドとから成る組が、前記回転ドラムに１８０°の角度で２組配置されている請求項３記載の回転ヘッド装置。
【請求項６】
前記第１の磁気ヘッドと前記第２の磁気ヘッドとが、前記回転ドラムに対し１８０度の角度で配置されている請求項１または２記載の回転ヘッド装置。
【請求項７】
請求項１ないし６のいずれかに記載の回転ヘッド装置と、前記回転ドラムの摺動面の所定角度の範囲に磁気テープを接触させてこの磁気テープを走行させる磁気テープ送り手段と、が設けられていることを特徴とする磁気記録再生装置。
【請求項８】
請求項１ないし４のいずれかに記載の回転ヘッド装置と、前記回転ドラムの摺動面の所定角度の範囲に磁気テープを接触させてこの磁気テープを走行させる磁気テープ送り手段とが設けられ、磁気テープの同じ記録トラックが異なる磁気再生素子により重複して走査されないことを特徴とする磁気記録再生装置。
【請求項９】
請求項４記載の回転ヘッド装置が設けられ、一方の組の第１の磁気ヘッドが磁気テープを走査した後、他方の組の第１の磁気ヘッドが磁気テープを走査するまでに磁気テープが２トラック分だけ移送され、且つ前記他方の組の第１の磁気ヘッドが磁気テープを走査した後、前記一方の組の第１の磁気ヘッドが磁気テープを走査するまでに磁気テープが６トラック分だけ移送される請求項８記載の磁気記録再生装置。
【請求項１０】
請求項１ないし３、および５または６のいずれかに記載の回転ヘッド装置と、前記回転ドラムの摺動面の所定角度の範囲に磁気テープを接触させてこの磁気テープを走行させる磁気テープ送り手段とが設けられ、磁気テープの同じ記録トラックが異なる磁気再生素子により重複して走査されることを特徴とする磁気記録再生装置。
【請求項１１】
請求項５記載の回転ヘッド装置が設けられ、一方の組の第１の磁気ヘッドが磁気テープを走査するときと、他方の組の第１の磁気ヘッドが磁気テープを走査するときとで、磁気テープが２トラック分だけ移送される請求項１０記載の磁気記録再生装置。
【請求項１２】
請求項６記載の回転ヘッド装置が設けられ、前記第１の磁気ヘッドが磁気テープを走査するときと、前記第２の磁気ヘッドが磁気テープを走査するときとで、磁気テープが１トラック分だけ移送される請求項１０記載の磁気記録再生装置。
【発明の詳細な説明】
【０００１】
【発明の属する技術分野】
本発明は磁気ヘッドを備えた回転ヘッド装置およびこれを用いた磁気記録再生装置に係り、さらに詳しくは、２つ以上の磁気再生素子を有する磁気ヘッドが搭載された回転ヘッド装置およびこれを用いた磁気記録再生装置に関する。
【０００２】
【従来の技術】
映像機器での磁気記録再生装置、またはコンピュータ用のデータを保存する磁気記録再生装置などには、回転ヘッド装置の回転ドラムに磁気ヘッドが搭載され、磁気テープが前記回転ドラムにヘリカル軌跡で接触して走行するとともに前記回転ドラムが回転して、磁気テープに対してヘリカルスキャン方式で記録再生動作が行なわれるものがある。
【０００３】
図１９は磁気ヘッドが搭載された状態で磁気記録再生装置に設けられる回転ヘッド装置を示す平面図、図２０は図１９に示す回転ヘッド装置に磁気テープが接触した状態を示す部分拡大図、図２１は前記回転ヘッド装置に搭載された磁気ヘッドの一例を示す斜視図、図２２は図２１に示す磁気ヘッドを磁気テープとの対向面側（図２１における図示Ｙ２方向側）から見た平面図、図２３は前記回転ヘッド装置に搭載された他の磁気ヘッドを磁気テープとの対向面側から見た平面図、図２４は磁気テープの記録面を回転ドラム側から示した平面図である。
【０００４】
図１９に示す回転ヘッド装置１では、固定ドラム（図示せず）が固定され、前記固定ドラム上に、これと同軸の回転ドラム１ａが回転自在に支持され、モータ（図示せず）の動力により前記回転ドラム１ａが矢印方向へ回転駆動される。
【０００５】
前記磁気記録再生装置には、磁気テープＴを供給する側のリールハブ３１と巻取り側のリールハブ３２が回転自在に収納されており、磁気テープＴは両リールハブ３１と３２に渡って巻かれている。
【０００６】
磁気テープＴはローディングポスト３３により引出され、回転ヘッド装置１に巻き付けられる。
【０００７】
磁気テープＴの再生動作では、磁気テープＴはピンチローラ３４によりキャプスタン３５に圧接させられ、キャプスタン３５の回転速度により磁気テープＴは一定の速度Ｖにより走行させられる。
【０００８】
記録媒体である磁気テープＴは、回転ヘッド装置１にヘリカル軌跡にて所定角度で巻付けられて矢印方向へ走行する。この間、回転ドラム１ａが回転し、この回転ドラム１ａに搭載された磁気ヘッドＨ１、Ｈ２が磁気テープＴを走査する。図１９の回転ヘッド装置では、再生用の磁気ヘッドＨ１，Ｈ２が互いに対向する位置に設けられている。
【０００９】
図２１に示すように、前記磁気ヘッドＨ１は、アルミナチタンカーバイドからなる基体２上に、再生用のＭＲ型薄膜磁気ヘッド３、および保護膜である絶縁層４が薄膜形成プロセスによって形成され、さらに、前記絶縁層４上に、エポキシ系接着剤などの接着手段（図示せず）によって、アルミナチタンカーバイドからなる保護基体５が接着されている。
【００１０】
ＭＲ型薄膜磁気ヘッド３の磁気ギャップ６は、前記薄膜磁気ヘッドＨ１の磁気テープの対向面Ｈ１Ａに露出している。ＭＲ型薄膜磁気ヘッド３に流される電流は、電極７を通じて与えられる。
【００１１】
前記磁気ヘッドＨ１は前記回転ドラム１ａに搭載された状態で図２０に示す状態で前記磁気テープＴと当接する。このとき、図２０に示すα方向が回転ドラム１ａの回転方向であり、β方向が磁気テープＴの摺動方向である縦方向となる。
【００１２】
前記磁気ヘッドＨ１は前記縦方向に沿って曲率半径Ｒで形成される凸円弧形状に形成されている。また、前記磁気ヘッドＨ１は前記縦方向と直交する方向である横方向に沿って曲率半径ｒで形成される凸円弧形状に形成されている。
【００１３】
前記記録再生装置はいわゆるヘリカルスキャン方式である。したがって図２２に示すように、前記磁気ヘッドＨ１に設けられた前記ＭＲ型磁気ヘッド３の前記磁気ギャップ６には、回転ドラム１ａの回転方向（磁気テープＴに対する磁気再生素子の走査方向）に対する垂線Ｖに対してヘリカル軌跡に対応した角度θ１の第１のアジマスが付けられている。
【００１４】
すなわち図２２に示すように、前記磁気ヘッド磁気ヘッドＨ１では、前記ＭＲ型磁気ヘッド３の前記磁気ギャップ６に、前記回転方向に対する垂線Ｖから一方向へ角度θ１だけ傾く第１のアジマスが付けられている。
【００１５】
また、前記テープ対向面Ｈ１Ａの右側縁８および左側縁９も前記磁気ギャップ６のアジマスと同じ角度θ１で傾斜させられている。前記右側縁８と上縁１０との交叉部に生じた鋭角部１２は、前記右側縁８と下縁１１との交叉部に生じた角部１３よりも前記縦方向に向って外側に位置しており、また前記左側縁９と上縁１０との交叉部に生じた角部１４は、前記左側縁９と下縁１１との交叉部に生じた鋭角部１５よりも前記縦方向に向って内側に位置している。したがって、前記対向面Ｈ１Ａの磁気テープ側から見た平面形状は図２２に示すような平行四辺形に構成されている。
【００１６】
一方、前記磁気ヘッドＨ２も前記磁気ヘッドＨ１とほぼ同様の構造を有し、且つ前記回転ドラム１ａに搭載される。しかし、前記磁気ヘッドＨ２は図２３に示すように、前記磁気ヘッドＨ２に設けられたＭＲ型薄膜磁気ヘッド４３の磁気ギャップ１６に角度θ２の第２のアジマスが付けられている。この第２のアジマス角度θ２は、前記垂線Ｖに対して、前記第１の磁気ヘッドＨ１の前記第１のアジマス角度θ１と逆向きの傾き角度であり、θ１とθ２の絶対位置は一般的に等しい。また、前記磁気ヘッドＨ２のテープ対向面Ｈ２Ａの右側縁１８および左側縁１９も前記磁気ギャップ１６のアジマスと同じ角度θ２で傾斜させられている。前記右側縁１８と下縁２１との交叉部に生じた鋭角部２３は、前記右側縁１８と上縁２０との交叉部に生じた角部２２よりも前記縦方向に向って外側に位置しており、また前記左側縁１９と下縁２１との交叉部に生じた角部２５は、前記左側縁１９と上縁２０との交叉部に生じた鋭角部２４よりも前記縦方向に向って内側に位置している。したがって、前記対向面Ｈ１Ａの磁気テープ側から見た平面形状は図２３に示すように、前記磁気ヘッドＨ１とは逆方向に傾斜した状態の平行四辺形に構成されている。
【００１７】
図２４に示すように、磁気テープＴには第１のアジマス角度である前記θ１で信号が記録されているＲトラック（Ｒ１、Ｒ２、Ｒ３、……）と、第２のアジマス角度である前記θ２で信号が記録されたＬトラック（Ｌ１、Ｌ２、Ｌ３……）の２種類の記録トラックが形成されている。そして、この記録トラックは、Ｒ１トラックとＬ１トラックの２トラックによりフレームＦ１が構成され、同様にＲ２トラックとＬ２トラックの２トラックによりフレームＦ２が構成され、これらのフレームＦ１およびフレームＦ２のそれぞれのフレームにより、例えば垂直同期信号間の１画面が形成される。
【００１８】
図２４に示すように、ＲトラックおよびＬトラックの記録トラックが形成されている磁気テープＴに前記磁気ヘッドＨ１およびＨ２が走査したとき、前記磁気ヘッドＨ１に形成された前記ＭＲ型薄膜磁気ヘッド３がＲトラックを走査して記録信号の読み取りを行う。一方、前記磁気ヘッドＨ２に形成された前記ＭＲ型薄膜磁気ヘッド４３はＬトラックを走査して記録信号の読み取りを行う。
【００１９】
このような回転ヘッド装置１では、磁気テープＴに記録された信号を読み取って、磁気テープＴを送る速度を速くする、いわゆる転送レートを大きくするために、前記回転ドラム１ａに搭載する磁気ヘッドの数を増やすことが行われている。
【００２０】
また、１つの磁気ヘッドに複数のＭＲ型薄膜磁気ヘッドを設けることも提案されている。この場合、各ＭＲ型薄膜磁気ヘッドを磁気テープの摺動方向にそれぞれ所定寸法ずらして設けたものや、各ＭＲ型薄膜磁気ヘッドの両側端部に設けられる電極を、隣りに位置する他のＭＲ型薄膜磁気ヘッドと共通のものとすることによって、磁気テープの摺動方向と直交する方向（磁気テープの記録トラック幅方向）におけるＭＲ型薄膜磁気ヘッド間の長さ寸法を小さくし、高記録密度化に対応できるように構成されたものもある。
【００２１】
このような磁気ヘッドが開示されている特許文献として、以下に示すものがある。
【００２２】
【特許文献１】
特開２００１−１８４６１０号公報
【特許文献２】
特開平１０−３３４４１７号公報
【特許文献３】
特開平１１−１７５９２６号公報
【００２３】
【発明が解決しようとする課題】
しかし、回転ドラムに搭載する磁気ヘッドの数を増やすことは、コストの増大になる。また、近年の高記録密度化に伴なう狭トラック化によって、磁気テープの記録トラックの位置に、ＭＲ型薄膜磁気ヘッドの走査位置を合致させることが難しくなって来ているが、磁気ヘッドの数が増えると、記録トラックとＭＲ型薄膜磁気ヘッドの走査位置を合致させることがさらに困難となる。
【００２４】
一方、１つの磁気ヘッドに、複数のＭＲ型薄膜磁気ヘッドを磁気テープの摺動方向にそれぞれ所定寸法ずらして設けたものでは、それぞれのＭＲ型薄膜磁気ヘッドに電極が必要となるため、今後の高記録密度化に伴なう狭トラック化に対応するには限界がある。
【００２５】
また、隣りに位置する他のＭＲ型薄膜磁気ヘッドと電極を共通のものとすることによって、ＭＲ型薄膜磁気ヘッド間の長さ寸法を小さくしたものについても、狭トラック化に対応するには限界がある。すなわち、高記録密度化に伴なう狭トラック化を図るには、磁気テープの摺動方向と直交する方向（磁気テープの記録トラック幅方向）における各ＭＲ型薄膜磁気ヘッド間の距離を、極めて短くする必要がある。しかし、ＭＲ型薄膜磁気ヘッドの両側端部に設けられるハードバイアス層はＭＲ型薄膜磁気ヘッドと比較すると非常に大きなものであるため、隣りどうしに位置するＭＲ型薄膜磁気ヘッド間の前記距離を小さくするには限界があり、今後の狭トラック化に適切に対応できない。
【００２６】
本発明は上記従来の課題を解決するものであり、転送レートを大きくすることができるとともに、低コスト化および狭トラック化を図ることが可能な回転ヘッド装置およびこれを用いた磁気記録再生装置を提供することを目的とする。
【００２７】
【課題を解決するための手段】
本発明は、外周面が記録媒体との摺動面となる回転ドラムと、前記回転ドラムの摺動面に位置する複数の磁気ヘッドとが設けられた回転ヘッド装置において、
前記回転ドラムには、記録媒体との摺動方向に対して第１のアジマス角度を有する少なくとも２つの磁気再生素子を有する第１の磁気ヘッドと、記録媒体との摺動方向に対して前記第１のアジマス角度と逆に傾斜した第２のアジマス角度を有する少なくとも２つの磁気再生素子を有する第２の磁気ヘッドとが搭載されており、
回転ドラムが回転するときに、前記第１の磁気ヘッドのそれぞれの磁気再生素子が、３以上の奇数本の記録トラックを挟んで同じアジマス角度で記録された記録トラックを同時に走査し、前記第２の磁気ヘッドのそれぞれの磁気再生素子が、３以上の奇数本の記録トラックを挟んで前記第１の磁気ヘッドの磁気再生素子が走査する記録トラックと異なるアジマス角度で記録された記録トラックを同時に走査するように、第１の磁気ヘッドと第２の磁気ヘッドが位置決めされていることを特徴とするものである。
【００２８】
本発明では、第１のアジマス角度で配置された２つ以上の磁気再生素子を有する磁気ヘッドと、第２のアジマス角度で配置された２つ以上の磁気再生素子を有する磁気ヘッドの双方が回転ドラムに搭載されている。そして、前記第１の磁気ヘッドでは、各磁気再生素子のそれぞれが、第１のアジマス角度で記録された複数の異なる記録トラックのうち、１つ以上の記録トラックを飛び越した位置関係にある複数の記録トラックを同時に走査し、記録情報の読み取りを行う。また前記第２の磁気ヘッドでは、各磁気再生素子のそれぞれが、第２のアジマス角度で記録された複数の異なる記録トラックのうち、１つ以上の記録トラックを飛び越した位置関係にある複数の記録トラックを同時に走査して、記録情報の読み取りを行い、前記第２の磁気ヘッドの磁気再生素子が、前記第１の磁気ヘッドの磁気再生素子とは異なるアジマス角度で記録された記録トラックを走査するような位置関係で、前記第１の磁気ヘッドと第２の磁気ヘッドとが前記回転ドラムに配置されている。本発明では、前記第１の磁気ヘッドおよび第２の磁気ヘッドに複数の磁気再生素子が設けられているため、記録トラックに記録された情報の読み取り効率を高くすることができ、記録媒体の転送レートを大きくすることが可能となる。また、前記転送レートを大きくするために磁気ヘッドの数を多くする必要がないため、低コスト化を図ることができるとともに、記録媒体の記録トラックと前記各磁気再生素子の走査位置を合致させ易い。さらに、前記第１および第２の磁気ヘッドに設けられた各磁気再生素子のそれぞれが、同じアジマス角度で記録された複数の異なる記録トラックのうち、１つ以上の記録トラックを飛び越した位置関係にある複数の記録トラックを同時に走査する。そのため、最も近い記録トラックどうしを磁気再生素子で走査する場合に比べて、各磁気再生素子間の長手方向における間隔を大きくとることができる。ゆえに、高記録密度化に伴なう狭トラック化の場合でも、磁気再生素子の両側端部にハードバイアス層などの構成部材を配置することが可能となる。
【００２９】
この場合、前記第１の磁気ヘッドに設けられた前記磁気再生素子が記録トラックを走査した後に、前記第２の磁気ヘッドに設けられた前記磁気再生素子が、前記第１の磁気ヘッドに設けられた前記磁気再生素子が走査した記録トラックに隣接した記録トラックを走査するものとして構成することが好ましい。
【００３０】
このように構成すると、読み取った記録情報を再生するとき、情報の出力順序を再配置し易い。
【００３１】
また、前記第１の磁気ヘッドと前記第２の磁気ヘッドとが接近した状態で前記回転ドラムに設けられているものとして構成することができる。
【００３２】
例えば、前記第１の磁気ヘッドと前記第２の磁気ヘッドとが接近して配置されて組を成し、この第１の磁気ヘッドと第２の磁気ヘッドとから成る組が前記回転ドラムに２組設けられており、前記それぞれの組は、前記回転ドラムの回転方向に向って９０°の角度で配置されているものとして構成することができる。
【００３３】
例えば、前記第１の磁気ヘッドと前記第２の磁気ヘッドとが接近して配置されて組を成し、この第１の磁気ヘッドと第２の磁気ヘッドとから成る組が、前記回転ドラムに１８０°の角度で２組配置されているものとして構成することができる。
【００３４】
また、前記第１の磁気ヘッドと前記第２の磁気ヘッドとが、前記回転ドラムに対し１８０度の角度で配置されているものとして構成することができる。
【００３５】
このように、１つの回転ドラムに複数の磁気ヘッドを搭載した構成の回転ヘッド装置では、磁気テープに記録された情報の読み取りを効率良く行うことが可能となる。
【００３６】
また本発明は、請求項１ないし６のいずれかに記載の回転ヘッド装置と、前記回転ドラムの摺動面の所定角度の範囲に磁気テープを接触させてこの磁気テープを走行させる磁気テープ送り手段と、が設けられていることを特徴とする磁気記録再生装置に関するものである。
【００３７】
また本発明は、請求項１ないし４記載の回転ヘッド装置と、前記回転ドラムの摺動面の所定角度の範囲に磁気テープを接触させてこの磁気テープを走行させる磁気テープ送り手段とが設けられ、磁気テープの同じ記録トラックが異なる磁気再生素子により重複して走査されないことを特徴とする磁気記録再生装置に関するものである。
【００３８】
この場合、請求項４記載の回転ヘッド装置が設けられ、一方の組の第１の磁気ヘッドが磁気テープを走査した後、他方の組の第１の磁気ヘッドが磁気テープを走査するまでに磁気テープが２トラック分だけ移送され、且つ前記他方の組の第１の磁気ヘッドが磁気テープを走査した後、前記一方の組の第１の磁気ヘッドが磁気テープを走査するまでに磁気テープが６トラック分だけ移送されるものとして構成することができる。
【００３９】
このように構成すると、磁気テープの記録トラックに記録された情報の読み取り効率を高くすることができ、磁気テープの転送レートを大きくすることが可能となる。
【００４０】
また本発明は、請求項１ないし３、および５または６のいずれかに記載の回転ヘッド装置と、前記回転ドラムの摺動面の所定角度の範囲に磁気テープを接触させてこの磁気テープを走行させる磁気テープ送り手段とが設けられ、磁気テープの同じ記録トラックが異なる磁気再生素子により重複して走査されることを特徴とする磁気記録再生装置に関するものである。
【００４１】
この場合、請求項５記載の回転ヘッド装置が設けられ、一方の組の第１の磁気ヘッドが磁気テープを走査するときと、他方の組の第１の磁気ヘッドが磁気テープを走査するときとで、磁気テープが２トラック分だけ移送されるものとして構成することができる。
【００４２】
このように構成すると、同一の記録トラックに記録された情報を複数回読み取ることができるため、記録情報の読み取り不良が発生した場合でも、記録媒体の再読み取り作業を省略することができる。
【００４３】
また、請求項６記載の回転ヘッド装置が設けられ、前記第１の磁気ヘッドが磁気テープを走査するときと、前記第２の磁気ヘッドが磁気テープを走査するときとで、磁気テープが１トラック分だけ移送されるものとして構成することができる。
【００４４】
このように構成しても、同一の記録トラックに記録された情報を複数回読み取ることができるため、記録情報の読み取り不良が発生した場合でも、記録媒体の再読み取り作業を省略することができる。
【００４５】
【発明の実施の形態】
図１は磁気ヘッドが搭載された状態で磁気記録再生装置に設けられる回転ヘッド装置の第１の実施の形態の第１の例を示す平面図、図２は図１に示す回転ヘッド装置に磁気テープが接触した状態を示す部分拡大図、図３は前記回転ヘッド装置に搭載された磁気ヘッドの一例を示す斜視図、図４は図３に示す磁気ヘッドを磁気テープとの対向面側（図３における図示Ｙ２方向側）から見た平面図、図５は前記回転ヘッド装置に搭載された他の磁気ヘッドを示す斜視図、図６は図５に示す磁気ヘッドを磁気テープとの対向面側（図５における図示Ｙ２方向側）から見た平面図、図７は磁気テープの記録面と磁気ヘッドの走査との関係を磁気ヘッド側から示した平面図である。
【００４６】
図１に示す回転ヘッド装置１００は、映像機器での磁気記録再生装置、またはコンピュータ用のデータを保存する磁気記録再生装置などの磁気記録再生装置に搭載されている。
【００４７】
図１に示す回転ヘッド装置１００では、固定ドラム（図示せず）が固定され、前記固定ドラム上に、これと同軸の回転ドラム１００ａが回転自在に支持され、モータの動力により前記回転ドラム１００ａが図示矢印方向へ回転駆動される。
【００４８】
前記磁気記録再生装置には、磁気テープＴを供給する側のリールハブ２３１と巻取り側のリールハブ２３２が回転自在に収納されており、磁気テープＴは両リールハブ２３１と２３２に渡って巻かれている。
【００４９】
磁気テープＴはローディングポスト２３３により引出され、回転ドラム１００ａに巻き付けられる。
【００５０】
磁気テープＴの再生動作では、磁気テープＴがピンチローラ２３４によりキャプスタン２３５に圧接させられ、キャプスタン２３５の回転により磁気テープＴは一定の速度Ｖにより走行させられる。前記ピンチローラ２３４およびキャプスタン２３５により磁気テープ送り手段２３６が構成される。
【００５１】
記録媒体である磁気テープＴは、回転ヘッド装置１００にヘリカル軌跡にて所定角度で巻付けられて矢印方向へ走行する。この間、前記回転ドラム１００ａが回転し、この回転ドラム１００ａに搭載された磁気ヘッドＨ１００Ａ、Ｈ１００ＢおよびＨ１００Ｃ、Ｈ１００Ｄが磁気テープＴを走査する。
【００５２】
図１に示すように、前記回転ヘッド装置１００では、再生用の磁気ヘッドＨ１００ＡとＨ１００Ｂが近接した位置関係で前記回転ドラム１００ａに設けられており、２つの前記磁気ヘッドＨ１００ＡとＨ１００Ｂとで第１の組の磁気ヘッド複合体Ｈ２００が形成されている。同様に、再生用の磁気ヘッドＨ１００ＣとＨ１００Ｄが近接した位置関係で前記回転ドラム１００ａに設けられており、２つの前記磁気ヘッドＨ１００ＣとＨ１００Ｄとで第２の組の磁気ヘッド複合体Ｈ３００が形成されている。図１に示すように、前記磁気ヘッド複合体Ｈ３００は、前記磁気ヘッド複合体Ｈ２００に対して、前記回転ドラム１００ａの回転方向に向って９０°の回転角度位置に配置されている。
【００５３】
前記磁気テープＴは、前記回転ドラム１００ａに対して９０°以下の巻き付け角度で巻き付けられることが好ましい。磁気テープＴが前記巻き付け角度で前記回転ドラム１００ａに巻き付けられるものとして構成すると、前記磁気ヘッド複合体Ｈ２００での記録情報の読み取りと、Ｈ３００での記録情報の読み取りとが同時に行なわれることが無く、いわゆる記録トラック間のクロストークを防止することが可能となる。ただし、前記回転ドラム１００ａの直径寸法が大きく、前記クロストークが起こらない場合には、前記磁気テープＴを前記回転ドラム１００ａに対して９０度よりも大きい角度で巻き付けても良い。
【００５４】
前記磁気ヘッドＨ１００Ａ、Ｈ１００Ｂ、Ｈ１００Ｃ、Ｈ１００Ｄはそれぞれが独立して形成されたものであり、それぞれの磁気ヘッドが、前記回転ドラム１００ａに搭載された状態で図２に示す状態で前記磁気テープＴと当接する。このとき、図２に示すα方向が回転ドラム１００ａの回転方向であり、β方向が磁気テープＴの摺動方向である縦方向となる。
【００５５】
前記磁気ヘッドＨ１００Ａ、Ｈ１００Ｂ、Ｈ１００Ｃ、Ｈ１００Ｄは前記縦方向に沿って曲率半径Ｒで形成される凸円弧形状に形成されている。また、前記磁気ヘッドＨ１００Ａ、Ｈ１００Ｂ、Ｈ１００Ｃ、Ｈ１００Ｄは前記縦方向と直交する方向である横方向に沿って曲率半径ｒで形成される凸円弧形状に形成されている。
【００５６】
図３に示すように、前記磁気ヘッドＨ１００Ａには、アルミナチタンカーバイドからなる基体１１２上に、２つの再生用のＭＲ型薄膜磁気ヘッド１１３ａ、１１３ｂ、および保護膜である絶縁層１１４が薄膜形成プロセスによって形成され、さらに、前記絶縁層１１４上に、エポキシ系接着剤などの接着手段（図示せず）によって、アルミナチタンカーバイドからなる保護基体１１５が接着されている。
【００５７】
前記ＭＲ型薄膜磁気ヘッド１１３ａ、１１３ｂの磁気ギャップ１１６ａ、１１６ｂは、前記磁気ヘッドＨ１００Ａの磁気テープの対向面Ｈ１００Ａ１に露出している。ＭＲ型薄膜磁気ヘッド１１３ａ、１１３ｂに流される電流は、電極１１７を通じて与えられる。
【００５８】
また、前記磁気ヘッドＨ１００Ｂ、Ｈ１００ＣおよびＨ１００Ｄも前記磁気ヘッドＨ１００Ａと同様、アルミナチタンカーバイドからなる基体１１２、保護膜である絶縁層１１４、保護基体１１５および電極１１７を有して構成されている。
【００５９】
そして、図５に示すように、前記磁気ヘッドＨ１００Ｂには、２つの再生用のＭＲ型薄膜磁気ヘッド１１３ｃ、１１３ｄが形成され、前記ＭＲ型薄膜磁気ヘッド１１３ｃ、１１３ｄの磁気ギャップ１１６ｃ、１１６ｄは、前記薄膜磁気ヘッドＨ１００Ｂの磁気テープの対向面Ｈ１００Ｂ１に露出している。
【００６０】
また、前記磁気ヘッドＨ１００Ｃでは、２つの再生用のＭＲ型薄膜磁気ヘッド１１３ｅ、１１３ｆが形成され、前記ＭＲ型薄膜磁気ヘッド１１３ｅ、１１３ｆの磁気ギャップ１１６ｅ、１１６ｆは、前記薄膜磁気ヘッドＨ１００Ｃの磁気テープの対向面Ｈ１００Ｃ１に露出している。
【００６１】
また、前記磁気ヘッドＨ１００Ｄでは、２つの再生用のＭＲ型薄膜磁気ヘッド１１３ｇ、１１３ｈが形成され、前記ＭＲ型薄膜磁気ヘッド１１３ｇ、１１３ｈの磁気ギャップ１１６ｇ、１１６ｈは、前記薄膜磁気ヘッドＨ１００Ｄの磁気テープの対向面Ｈ１００Ｄ１に露出している。
【００６２】
前記記録再生装置はいわゆるヘリカルスキャン方式である。したがって図４または図６に示すように、前記磁気ヘッドＨ１００Ａ、Ｈ１００Ｂ、Ｈ１００Ｃ、Ｈ１００Ｄの各磁気再生素子には、回転ドラム１００ａの回転方向（磁気テープＴに対する磁気再生素子の走査方向）に対する垂線Ｖに対して所定のアジマス角度が付けられている。
【００６３】
すなわち図４に示すように、前記磁気ヘッド複合体Ｈ２００の磁気ヘッドＨ１００Ａでは、前記ＭＲ型磁気ヘッド１１３ａ、１１３ｂの前記磁気ギャップ１１６ａ、１１６ｂに、前記回転方向に対する垂線Ｖから一方向へ角度θ１だけ傾く第１のアジマスが付けられている。また、前記磁気ヘッド複合体Ｈ３００の磁気ヘッドＨ１００Ｃにも、前記ＭＲ型磁気ヘッド１１３ｅ、１１３ｆの前記磁気ギャップ１１６ｅ、１１６ｆに角度θ１の第１のアジマスが付けられている。
【００６４】
一方図６に示すように、前記磁気ヘッド複合体Ｈ２００の磁気ヘッドＨ１００Ｂでは、前記ＭＲ型磁気ヘッド１１３ｃ、１１３ｄの前記磁気ギャップ１１６ｃ、１１６ｄに角度θ２の第２のアジマスが付けられている。また、前記磁気ヘッド複合体Ｈ３００の磁気ヘッドＨ１００Ｄにも、前記ＭＲ型磁気ヘッド１１３ｇ、１１３ｈの前記磁気ギャップ１１６ｇ、１１６ｈに角度θ２の第２のアジマスが付けられている。この第２のアジマス角度θ２は、前記垂線Ｖに対して、前記第１のアジマス角度θ１と逆向きの傾き角度であり、θ１とθ２の絶対位置は一般的に等しい。
【００６５】
すなわち、前記磁気ヘッド複合体Ｈ２００では、一方の磁気ヘッドＨ１００Ａの２つの磁気再生素子が同じアジマス角度で、他方のＨ１００Ｂの２つの磁気再生素子が同じアジマス角度であり、一方の磁気ヘッドＨ１００Ａと他方のＨ１００Ｂとでは、磁気再生素子のアジマス角度が、互いに逆向きである。同様に、前記磁気ヘッド複合体Ｈ３００では、２つの磁気ヘッドＨ１００ＣとＨ１００Ｄとが互いに逆のアジマス角度を有している。
【００６６】
前記磁気ヘッドＨ１００ＡとＨ１００Ｃでは、前記ＭＲ型薄膜磁気ヘッド１１３ａ、１１３ｂ、および１１３ｅ、１１３ｆは第１のアジマス角度を規定するアジマス規定線Ａ１−Ａ１線上に、長手方向に並列して配置されている。一方、前記磁気ヘッドＨ１００ＢとＨ１００Ｄでは、前記ＭＲ型薄膜磁気ヘッド１１３ｃ、１１３ｄ、および１１３ｇ、１１３ｈは第２のアジマス角度を規定するアジマス規定線Ａ２−Ａ２線上に、長手方向に並列して配置されている。
【００６７】
このように、前記ＭＲ型薄膜磁気ヘッド１１３ａと１１３ｂ、１１３ｅと１１３ｆを前記アジマス規定線Ａ１−Ａ１線上に長手方向に並列して配置し、または前記ＭＲ型薄膜磁気ヘッド１１３ｃと１１３ｄ、および１１３ｇと１１３ｈは第２のアジマス角度を規定するアジマス規定線Ａ２−Ａ２線上に長手方向に並列して配置するように構成すると、薄膜形成プロセスにより前記ＭＲ型薄膜磁気ヘッド１１３ａと１１３ｂ、１１３ｅと１１３ｆ、１１３ｃと１１３ｄ、および１１３ｇと１１３ｈを形成する際、同一平坦面上にそれぞれほぼ同時に形成することができる。したがって、１つの磁気ヘッドに形成される２つのＭＲ型薄膜磁気ヘッドの品質を均一にすることが可能となる。
【００６８】
前記磁気ヘッド複合体Ｈ２００の磁気ヘッドＨ１００Ａと、前記磁気テープ複合体Ｈ３００の磁気ヘッドＨ１００Ｃは同様の構成である。前記各磁気ヘッドＨ１００Ａ、Ｈ１００Ｃのテープ対向面Ｈ１００Ａ１、Ｈ１００Ｃ１のそれぞれの右側縁１１８および左側縁１１９も前記第１のアジマスと同じ角度θ１で傾斜させられている。前記右側縁１１８と上縁１２０との交叉部に生じた鋭角部１２２は、前記右側縁１１８と下縁１２１との交叉部に生じた角部１２３よりも前記縦方向に向って外側に位置しており、また前記左側縁１１９と下縁１２１との交叉部に生じた鋭角部１２５は、前記左側縁１１９と上縁１２０との交叉部に生じた角部１２４よりも前記縦方向に向って外側に位置している。したがって、前記対向面Ｈ１００Ａ１、Ｈ１００Ｂ１の磁気テープ側から見た平面形状は図４に示すような平行四辺形に構成されている。
【００６９】
一方、前記磁気ヘッド複合体Ｈ２００の磁気ヘッドＨ１００Ｂと、前記磁気テープ複合体Ｈ３００の磁気ヘッドＨ１００Ｄは同様の構成である。前記磁気ヘッドＨ１００Ｂ、Ｈ１００Ｄは図５に示すように、前記第２のアジマスが付けられている。
【００７０】
前記磁気ヘッドＨ１００Ｂ、Ｈ１００Ｄのテープ対向面Ｈ１００Ｂ１、Ｈ１００Ｄ１の右側縁１２８および左側縁１２９も前記磁気ギャップ１１６のアジマスと同じ角度θ２で傾斜させられている。前記右側縁１２８と下縁１３１との交叉部に生じた鋭角部１３３は、前記右側縁１２８と上縁１３０との交叉部に生じた角部１３２よりも前記縦方向に向って外側に位置しており、また前記左側縁１２９と上縁１３０との交叉部に生じた鋭角部１３４は、前記左側縁１２９と下縁１３１との交叉部に生じた角部１３５よりも前記縦方向に向って外側に位置している。したがって、前記対向面Ｈ１００Ｂ１、Ｈ１００Ｄ１の磁気テープ側から見た平面形状は図５に示すように、前記磁気ヘッドＨ１００Ａ、Ｈ１００Ｃとは逆方向に傾斜した状態の平行四辺形に構成されている。
【００７１】
図７に示すように、磁気テープＴには第１のアジマス角度である前記θ１で信号が記録されているＲトラック（Ｒ１、Ｒ２、Ｒ３、……）と、第２のアジマス角度である前記θ２で情報が記録されたＬトラック（Ｌ１、Ｌ２、Ｌ３……）の２種類の記録トラックが、交互に形成されている。そして、この記録トラックは、Ｒ１トラックとＬ１トラックの２トラックによりフレームＦ１が構成され、同様にＲ２トラックとＬ２トラックの２トラックによりフレームＦ２が構成され、これらのフレームＦ１およびフレームＦ２のそれぞれのフレームにより例えば垂直同期信号間の１画面が形成される。このようにして、任意の記録トラックＲｎとＬｎとでフレームＦｎが構成される。
【００７２】
図７に示すように前記回転ヘッド装置１００では、ＲトラックおよびＬトラックの記録トラックが形成されている磁気テープＴに前記磁気ヘッド複合体Ｈ２００が走査したとき、前記磁気ヘッドＨ１００Ａに形成された前記ＭＲ型薄膜磁気ヘッド１１３ａおよび１１３ｂがＲトラックを走査して記録信号の読み取りを行う。また、前記磁気ヘッドＨ１００Ｂに形成された前記ＭＲ型薄膜磁気ヘッド１１３ｃおよび１１３ｄはＬトラックを走査して記録信号の読み取りを行う。
【００７３】
一方、前記磁気テープＴに前記磁気ヘッド複合体Ｈ３００が走査したとき、前記磁気ヘッドＨ１００Ｃに形成された前記ＭＲ型薄膜磁気ヘッド１１３ｅおよび１１３ｆがＲトラックを走査して記録情報の読み取りを行う。また、前記磁気ヘッドＨ１００Ｄに形成された前記ＭＲ型薄膜磁気ヘッド１１３ｇ、１１３ｈがＬトラックを走査して記録情報の読み取りを行う。
【００７４】
以下に、前記回転ヘッド装置１００の回転と、前記記録テープＴの記録トラック走査の関係を説明する。
【００７５】
図８は前記回転ドラム１００ａの回転と、前記回転ドラム１００ａに搭載された前記磁気ヘッド複合体Ｈ２００およびＨ３００を構成する前記各磁気ヘッドＨ１００Ａ、Ｈ１００Ｂ、Ｈ１００Ｃ、Ｈ１００Ｄに形成された前記各ＭＲ型薄膜磁気ヘッド１１３ａ、１１３ｂ、１１３ｃ、１１３ｄ、１１３ｅ、１１３ｆ、１１３ｇおよび１１３ｈの記録トラック走査の関係を示す図である。
【００７６】
図７および図８に示すように、前記回転ドラム１００ａの１回転目においては、０°〜９０°では、まず前記磁気ヘッド複合体Ｈ２００を構成する磁気ヘッドＨ１００Ａが磁気テープＴと当接して摺動する。この際、まず前記ＭＲ型薄膜磁気ヘッド１１３ｂが磁気テープＴの記録トラックＲ３を走査し、ＭＲ型薄膜磁気ヘッド１１３ａが磁気テープＴの記録トラックＲ１を走査して、記録情報の読み取りを行う。次に、前記磁気ヘッド複合体Ｈ２００を構成する磁気ヘッドＨ１００Ｂが磁気テープＴに当接して摺動する。この際、前記ＭＲ型薄膜磁気ヘッド１１３ｄが磁気テープＴの記録トラックＬ３を走査し、ＭＲ型薄膜磁気ヘッド１１３ｃが磁気テープＴの記録トラックＬ１を走査して、記録情報の読み取りを行う。
【００７７】
次に、前記回転ドラム１００ａが９０°〜１８０°回転したときでは、前記磁気ヘッド複合体Ｈ３００が磁気テープＴと当接して摺動し、記録トラックを走査する。この際、前記磁気ヘッド複合体Ｈ３００の磁気ヘッドＨ１００Ｃ、Ｈ１００Ｄに形成されたＭＲ型薄膜磁気ヘッド１１３ｅ、１１３ｆ、１１３ｇ、１１３ｈが、前記磁気ヘッド複合体Ｈ２００の磁気ヘッドＨ１００Ａ、Ｈ１００Ｂに形成されたＭＲ型薄膜磁気ヘッド１１３ａ、１１３ｂ、１１３ｃ、１１３ｄが走査した記録トラックに隣接する記録トラックを走査するような位置関係で、前記各磁気ヘッド複合体Ｈ２００とＨ３００とが前記回転ドラム１００ａに配置されている。ここで、前記磁気ヘッド複合体Ｈ２００によって記録トラックの走査が開始された時点から、前記磁気ヘッド複合体Ｈ３００が記録トラックの走査を開始するまでに、磁気テープＴが２トラック分移送される。
【００７８】
すなわち、前記回転ドラム１００ａが９０°〜１８０°回転したときでは、前記磁気ヘッド複合体Ｈ３００を構成する磁気ヘッドＨ１００Ｃが磁気テープＴと当接して摺動する。この際、まず前記ＭＲ型薄膜磁気ヘッド１１３ｆが磁気テープＴの記録トラックＲ４を走査し、ＭＲ型薄膜磁気ヘッド１１３ｅが磁気テープＴの記録トラックＲ２を走査して、記録情報の読み取りを行う。次に、前記磁気ヘッド複合体Ｈ３００を構成する磁気ヘッドＨ１００Ｄが磁気テープＴに当接して摺動する。この際、前記ＭＲ型薄膜磁気ヘッド１１３ｈが磁気テープＴの記録トラックＬ４を走査し、ＭＲ型薄膜磁気ヘッド１１３ｇが磁気テープＴの記録トラックＬ２を走査して、記録情報の読み取りを行う。
【００７９】
次に、前記回転ドラム１００ａが２回転目の回転を開始する。この際、前記磁気ヘッド複合体Ｈ３００によって記録トラックの走査が開始された時点から、前記磁気ヘッド複合体Ｈ２００が記録トラックの走査を開始するまでに、磁気テープＴが６トラック分移送される。
【００８０】
前記回転ドラム１００ａの２回転目においては、図８に示すように、０°〜９０°では、まず前記磁気ヘッド複合体Ｈ２００を構成する磁気ヘッドＨ１００Ａが磁気テープＴと当接して摺動した際、まず前記ＭＲ型薄膜磁気ヘッド１１３ｂが磁気テープＴの記録トラックＲ７を走査し、ＭＲ型薄膜磁気ヘッド１１３ａが磁気テープＴの記録トラックＲ５を走査して、記録情報の読み取りを行う。次に、前記磁気ヘッド複合体Ｈ２００を構成する磁気ヘッドＨ１００Ｂが磁気テープＴに当接して摺動した際、前記ＭＲ型薄膜磁気ヘッド１１３ｄが磁気テープＴの記録トラックＬ７を走査し、ＭＲ型薄膜磁気ヘッド１１３ｃが磁気テープＴの記録トラックＬ５を走査して、記録情報の読み取りを行う。
【００８１】
次に、前記回転ドラム１００ａが９０°〜１８０°回転したときでは、再び前記磁気ヘッド複合体Ｈ３００が磁気テープＴと当接して摺動し、前記磁気ヘッド複合体Ｈ３００の磁気ヘッドＨ１００Ｃ、Ｈ１００Ｄに形成されたＭＲ型薄膜磁気ヘッド１１３ｅ、１１３ｆ、１１３ｇ、１１３ｈは、前記磁気ヘッド複合体Ｈ２００の磁気ヘッドＨ１００Ａ、Ｈ１００Ｂに形成されたＭＲ型薄膜磁気ヘッド１１３ａ、１１３ｂ、１１３ｃ、１１３ｄが走査した記録トラックに隣接する記録トラックを走査する。この際、前記磁気ヘッド複合体Ｈ２００によって記録トラックの走査が開始された時点から、前記磁気ヘッド複合体Ｈ３００が記録トラックの走査を開始するまでに、磁気テープＴが２トラック分移送される。
【００８２】
すなわち、前記回転ドラム１００ａが９０°〜１８０°回転したときでは、前記磁気ヘッド複合体Ｈ３００を構成する磁気ヘッドＨ１００Ｃが磁気テープＴと当接して摺動し、この際、まず前記ＭＲ型薄膜磁気ヘッド１１３ｆが磁気テープＴの記録トラックＲ８を走査し、ＭＲ型薄膜磁気ヘッド１１３ｅが磁気テープＴの記録トラックＲ６を走査して、記録情報の読み取りを行う。次に、前記磁気ヘッド複合体Ｈ３００を構成する磁気ヘッドＨ１００Ｄが磁気テープＴに当接して摺動し、この際、前記ＭＲ型薄膜磁気ヘッド１１３ｈが磁気テープＴの記録トラックＬ８を走査し、ＭＲ型薄膜磁気ヘッド１１３ｇが磁気テープＴの記録トラックＬ６を走査して、記録情報の読み取りを行う。
【００８３】
このようにして、以降連続して前記回転ドラム１００ａが回転し、記録情報の読み取りを行って行く。
【００８４】
このように、前記磁気ヘッドＨ１００Ａ、Ｈ１００Ｂ、Ｈ１００Ｃ、Ｈ１００Ｄには、それぞれ２つずつのＭＲ型薄膜磁気ヘッドが形成されているため、転送レートを大きくするために前記回転ドラム１００ａに搭載する磁気ヘッドの数を大きく増やす必要がなく、コストの低減を図ることが可能となる。また、近年の高記録密度化に伴なう狭トラック化によって、磁気テープの記録トラックの位置に、ＭＲ型薄膜磁気ヘッドの走査位置を合致させることが難しくなって来ているが、磁気ヘッドの数が増えると、記録トラックとＭＲ型薄膜磁気ヘッドの走査位置を合致させることがさらに困難となる。しかし、前記回転ヘッド装置１００では、搭載する磁気ヘッドの数を大きく増やす必要がないため、記録トラックと、前記各ＭＲ型薄膜磁気ヘッド１１３ａ、１１３ｂ、１１３ｃ、１１３ｄ、１１３ｅ、１１３ｆ、１１３ｇ、１１３ｈの走査位置を合致させ易い。
【００８５】
また、前記各磁気ヘッド複合体Ｈ２００およびＨ３００の位置関係を、前記回転ドラム１００ａに対して９０°に配置しているので、前記各磁気ヘッドＨ１００Ａ，Ｈ１００Ｂ，Ｈ１００Ｃ，Ｈ１００Ｄを前記回転ドラム１００ａに配置する作業を容易にできる。
【００８６】
また、前記回転ヘッド装置１００が搭載された磁気記録再生装置では、前記回転ドラム１００ａが１回転する毎に、同方向のアジマスの記録トラックを４つづつ、すなわち合計８トラックの記録情報の読み取りが可能である。したがって、磁気テープＴの記録トラックに記録された情報の読み取り効率を高くすることができ、磁気テープＴの転送レートを大きくすることが可能となる。
【００８７】
この際、例えば磁気ヘッドＨ１００Ａは、１回目の走査でＭＲ型薄膜磁気ヘッド１１３ａと１１３ｂにより、記録トラックＲ１とＲ３の記録情報を同時に読み取り、記録トラックＲ２の読み取りは行わない。また、２回目の走査でＭＲ型薄膜磁気ヘッド１１３ａと１１３ｂにより、記録トラックＲ５とＲ７の記録情報を同時に読み取り、記録トラックＲ６の記録情報の読み取りは行わない。
【００８８】
同様に、磁気ヘッドＨ１００Ｂは、１回目の走査でＭＲ型薄膜磁気ヘッド１１３ｃと１１３ｄにより、記録トラックＬ１とＬ３の記録情報を同時に読み取り、記録トラックＬ２の読み取りは行わない。また、２回目の走査でＭＲ型薄膜磁気ヘッド１１３ｃと１１３ｄにより、記録トラックＬ５とＬ７の記録情報を同時に読み取り、記録トラックＬ６の記録情報の読み取りは行わない。
【００８９】
磁気ヘッドＨ１００Ｃでは、１回目の走査でＭＲ型薄膜磁気ヘッド１１３ｅと１１３ｆにより、記録トラックＲ２とＲ４の記録情報を同時に読み取り、記録トラックＲ３の読み取りは行わない。また、２回目の走査でＭＲ型薄膜磁気ヘッド１１３ｅと１１３ｆにより、記録トラックＲ６とＲ８の記録情報を同時に読み取り、記録トラックＲ７の記録情報の読み取りは行わない。
【００９０】
磁気ヘッドＨ１００Ｄでは、１回目の走査でＭＲ型薄膜磁気ヘッド１１３ｇと１１３ｈにより、記録トラックＬ２とＬ４の記録情報を同時に読み取り、記録トラックＬ３の読み取りは行わない。また、２回目の走査でＭＲ型薄膜磁気ヘッド１１３ｇと１１３ｈにより、記録トラックＬ６とＬ８の記録情報を同時に読み取り、記録トラックＬ７の記録情報の読み取りは行わない。
【００９１】
このように、前記回転ヘッド装置１００が搭載された磁気記録再生装置では、同じアジマスが付された複数の記録トラックのうち、１つの記録トラックを飛び越した位置関係にある複数の記録トラックを同時に走査して記録情報の読み取りを行う。このように構成することにより、磁気ヘッドＨ１００Ａ、Ｈ１００Ｂ、Ｈ１００Ｃ、Ｈ１００Ｄに形成するＭＲ型薄膜磁気ヘッド１１３ａおよび１１３ｂ、１１３ｃおよび１１３ｄ、１１３ｅおよび１１３ｆ、１１３ｇおよび１１３ｈの長手方向の間隔を大きく取ることができるため、高記録密度化に伴なう狭トラック化の場合でも、前記各ＭＲ型薄膜磁気ヘッド１１３ａおよび１１３ｂ、１１３ｃおよび１１３ｄ、１１３ｅおよび１１３ｆ、１１３ｇおよび１１３ｈの両側端部にハードバイアス層などの構成部材を配置することが可能となる。
【００９２】
前記各ＭＲ型薄膜磁気ヘッド１１３ａおよび１１３ｂ、１１３ｃおよび１１３ｄ、１１３ｅおよび１１３ｆ、１１３ｇおよび１１３ｈにより読み取った記録情報は、磁気記録再生装置に設けられた記録信号処理部（図示せず）によって
記録情報の読み取り不良の有無が検知され、読み取り不良が発生した場合には制御部（図示せず）へその旨の信号を伝達し、制御部が回転ドラム１００ａを回転駆動するためのモータ（図示せず）、およびキャプスタンの回転を制御して磁気テープを巻き戻し、記録信号の再読み取りを行う。
【００９３】
記録情報が記録された磁気テープＴはフレームＦ１およびフレームＦ２のそれぞれのフレームにより垂直同期信号間の１画面が形成される。したがって、前記のように読み取った記録情報は、読み取り順序が再生順序に一致していない。したがって、図９に示すように、前記各磁気ヘッドＨ１００Ａ、Ｈ１００Ｂ、Ｈ１００Ｃ、Ｈ１００Ｄで読み取った記録情報をバッファメモリに記憶させ、エラー訂正を行い、記録情報を再生順序に再配置した後、読み取った記録情報の出力を行う。
【００９４】
なお、前記回転ヘッド装置１００では、前記回転ドラム１００ａに２つの磁気ヘッド複合体Ｈ２００およびＨ３００が搭載されているが、本発明はこれに限定されるものではなく、例えばさらに磁気ヘッド複合体を１つ搭載して合計３つの磁気ヘッド複合体が設けられたものとして構成することもできる。この場合、例えば、３つの磁気ヘッド複合体のうち、１つの磁気ヘッド複合体Ｈ２００が搭載されている位置を０°としたときに、他の２つの磁気ヘッド複合体は前記回転ドラム１００ａの回転方向に対して、それぞれ９０°、１８０度の角度で搭載するものとして構成することができる。
【００９５】
さらに、合計４つの磁気ヘッド複合体を前記回転ドラム１００ａに搭載して前記回転ヘッド装置１００を構成することもできる。この場合、例えば、４つの磁気ヘッド複合体のうち、１つの磁気ヘッド複合体Ｈ２００が搭載されている位置を０°としたときに、他の３つの磁気ヘッド複合体は前記回転ドラム１００ａの回転方向に対して、それぞれ９０°、１８０°、２７０°の角度で搭載するものとして構成することができる。
【００９６】
このように前記回転ドラム１００ａに３つ、あるいは４つの磁気ヘッド複合体を搭載するものとして構成すると、３つ目の磁気ヘッド複合体、あるいは４つ目の磁気ヘッド複合体が、１つ目の磁気ヘッド複合体Ｈ２００および２つ目の磁気ヘッド複合体Ｈ３００が既に走査した磁気テープＴの記録トラックを再度走査して記録情報の読み取りを行うことができる。したがって、磁気テープＴの転送レートを低下させることなく、記録情報の読み取り不良が発生した場合の記録情報再読み取り作業を省略することができる。
【００９７】
図１０は磁気ヘッドが搭載された状態で磁気記録再生装置に設けられる回転ヘッド装置の第１の実施の形態の第２の例を示す平面図、図１１は磁気テープの記録面と磁気ヘッドの走査との関係を磁気ヘッド側から示した平面図である。
【００９８】
図１０に示す回転ヘッド装置１５０は、映像機器での磁気記録再生装置、またはコンピュータ用のデータを保存する磁気記録再生装置などの磁気記録再生装置に搭載されている。
【００９９】
前記回転ヘッド装置１５０は、図１に示した回転ヘッド装置１００とほぼ同様の構成である。したがって、図１０に示す回転ヘッド装置１５０の構成部分のうち、図１に示す前記回転ヘッド装置１００と同様の構成部分には、前記回転ヘッド装置１００と同じ符号を付してその詳しい説明を省略し、以下には前記回転ヘッド装置１５０について前記回転ヘッド装置１００と異なる点を中心に説明する。
【０１００】
図１０に示す回転ヘッド装置１５０では、固定ドラム（図示せず）が固定され、前記固定ドラム上に、これと同軸の回転ドラム１５０ａが回転自在に支持され、モータの動力により前記回転ドラム１５０ａが図示矢印方向へ回転駆動される。
【０１０１】
図１０に示すように、前記回転ヘッド装置１５０では、図１に示した回転ヘッド装置１００と同様に、再生用の磁気ヘッドＨ１００ＡとＨ１００Ｂで構成される第１の組の磁気ヘッド複合体Ｈ２００と、再生用の磁気ヘッドＨ１００ＣとＨ１００Ｄで構成される第２の組の磁気ヘッド複合体Ｈ３００が、回転ドラム１５０ａに設けられている。しかし、図１０に示すように、前記回転ヘッド装置１５０では、図１に示す回転ヘッド装置１００と異なり、前記磁気ヘッド複合体Ｈ２００とＨ３００とが、前記回転ドラム１５０ａに対して、互いに１８０°の回転角度、すなわち前記回転ドラム１５０ａの中心点Ｏ１を通る中心線Ｏ１−Ｏ１線上に対向して配置されている。
【０１０２】
前記磁気テープＴは、前記回転ドラム１５０ａに対して１８０°以下の巻き付け角度で巻き付けられることが好ましい。磁気テープＴが前記巻き付け角度で前記回転ドラム１５０ａに巻き付けられるものとして構成すると、前記磁気ヘッド複合体Ｈ２００での記録情報の読み取りと、Ｈ３００での記録情報の読み取りとが同時に行なわれることが無く、いわゆるクロストークを防止することが可能となる。
【０１０３】
図１１に示すように、磁気テープＴには第１のアジマス角度である前記θ１で信号が記録されているＲトラック（Ｒ１、Ｒ２、Ｒ３、……）と、第２のアジマス角度である前記θ２で情報が記録されたＬトラック（Ｌ１、Ｌ２、Ｌ３……）の２種類の記録トラックが、交互に形成されている。そして、この記録トラックは、Ｒ１トラックとＬ１トラックの２トラックによりフレームＦ１が構成され、同様にＲ２トラックとＬ２トラックの２トラックによりフレームＦ２が構成され、これらのフレームＦ１およびフレームＦ２のそれぞれのフレームにより例えば垂直同期信号間の１画面が形成される。このようにして、任意の記録トラックＲｎとＬｎとでフレームＦｎが構成される。
【０１０４】
図１１に示すように前記回転ヘッド装置１５０でも、図１に示す前記回転ヘッド装置１００と同様に、ＲトラックおよびＬトラックの記録トラックが形成されている磁気テープＴに前記磁気ヘッド複合体Ｈ２００が走査したとき、前記磁気ヘッドＨ１００Ａに形成された前記ＭＲ型薄膜磁気ヘッド１１３ａおよび１１３ｂがＲトラックを走査して記録信号の読み取りを行う。また、前記磁気ヘッドＨ１００Ｂに形成された前記ＭＲ型薄膜磁気ヘッド１１３ｃおよび１１３ｄはＬトラックを走査して記録信号の読み取りを行う。
【０１０５】
一方、前記磁気テープＴに前記磁気ヘッド複合体Ｈ３００が走査したとき、前記磁気ヘッドＨ１００Ｃに形成された前記ＭＲ型薄膜磁気ヘッド１１３ｅおよび１１３ｆがＲトラックを走査して記録情報の読み取りを行う。また、前記磁気ヘッドＨ１００Ｄに形成された前記ＭＲ型薄膜磁気ヘッド１１３ｇ、１１３ｈがＬトラックを走査して記録情報の読み取りを行う。
【０１０６】
以下に、前記回転ヘッド装置１５０の回転と、前記記録テープＴの記録トラック走査の関係を説明する。
【０１０７】
図１２は前記回転ドラム１５０ａの回転と、前記回転ドラム１５０ａに搭載された前記磁気ヘッド複合体Ｈ２００およびＨ３００を構成する前記各磁気ヘッドＨ１００Ａ、Ｈ１００Ｂ、Ｈ１００Ｃ、Ｈ１００Ｄに形成された前記各ＭＲ型薄膜磁気ヘッド１１３ａ、１１３ｂ、１１３ｃ、１１３ｄ、１１３ｅ、１１３ｆ、１１３ｇおよび１１３ｈの記録トラック走査の関係を示す図である。
【０１０８】
図１１および図１２に示すように、前記回転ドラム１５０ａの１回転目においては、０°〜１８０°では、まず前記磁気ヘッド複合体Ｈ２００を構成する磁気ヘッドＨ１００Ａが磁気テープＴと当接して摺動する。この際、まず前記ＭＲ型薄膜磁気ヘッド１１３ｂが磁気テープＴの記録トラックＲ３を走査し、ＭＲ型薄膜磁気ヘッド１１３ａが磁気テープＴの記録トラックＲ１を走査して、記録情報の読み取りを行う。次に、前記磁気ヘッド複合体Ｈ２００を構成する磁気ヘッドＨ１００Ｂが磁気テープＴに当接して摺動する。この際、前記ＭＲ型薄膜磁気ヘッド１１３ｄが磁気テープＴの記録トラックＬ３を走査し、ＭＲ型薄膜磁気ヘッド１１３ｃが磁気テープＴの記録トラックＬ１を走査して、記録情報の読み取りを行う。
【０１０９】
次に、前記回転ドラム１５０ａが１８０°〜３６０°回転したときでは、前記磁気ヘッド複合体Ｈ３００が磁気テープＴと当接して摺動し、記録トラックを走査する。この際、前記磁気ヘッド複合体Ｈ３００の磁気ヘッドＨ１００Ｃ、Ｈ１００Ｄに形成されたＭＲ型薄膜磁気ヘッド１１３ｅ、１１３ｆ、１１３ｇ、１１３ｈが、前記磁気ヘッド複合体Ｈ２００の磁気ヘッドＨ１００Ａ、Ｈ１００Ｂに形成されたＭＲ型薄膜磁気ヘッド１１３ａ、１１３ｂ、１１３ｃ、１１３ｄが走査した記録トラックに隣接する記録トラックを走査するような位置関係で、前記各磁気ヘッド複合体Ｈ２００とＨ３００とが前記回転ドラム１５０ａに配置される。ここで、前記磁気ヘッド複合体Ｈ２００によって記録トラックの走査が開始された時点から、前記磁気ヘッド複合体Ｈ３００が記録トラックの走査を開始するまでに、磁気テープＴが２トラック分移送される。
【０１１０】
すなわち、前記回転ドラム１５０ａが１８０°〜３６０°回転したときでは、前記磁気ヘッド複合体Ｈ３００を構成する磁気ヘッドＨ１００Ｃが磁気テープＴと当接して摺動する。この際、まず前記ＭＲ型薄膜磁気ヘッド１１３ｆが磁気テープＴの記録トラックＲ４を走査し、ＭＲ型薄膜磁気ヘッド１１３ｅが磁気テープＴの記録トラックＲ２を走査して、記録情報の読み取りを行う。次に、前記磁気ヘッド複合体Ｈ３００を構成する磁気ヘッドＨ１００Ｄが磁気テープＴに当接して摺動する。この際、前記ＭＲ型薄膜磁気ヘッド１１３ｈが磁気テープＴの記録トラックＬ４を走査し、ＭＲ型薄膜磁気ヘッド１１３ｇが磁気テープＴの記録トラックＬ２を走査して、記録情報の読み取りを行う。
【０１１１】
次に、前記回転ドラム１００ａが２回転目の回転を開始する。この際、前記磁気ヘッド複合体Ｈ３００によって記録トラックの走査が開始された時点から、前記磁気ヘッド複合体Ｈ２００が記録トラックの走査を開始するまでに、磁気テープＴが２トラック分移送される。
【０１１２】
前記回転ドラム１５０ａの２回転目においては、図１２に示すように、０°〜１８０°では、まず前記磁気ヘッド複合体Ｈ２００を構成する磁気ヘッドＨ１００Ａが磁気テープＴと当接して摺動した際、まず前記ＭＲ型薄膜磁気ヘッド１１３ｂが磁気テープＴの記録トラックＲ５を走査し、ＭＲ型薄膜磁気ヘッド１１３ａが磁気テープＴの記録トラックＲ３を走査して、記録情報の読み取りを行う。次に、前記磁気ヘッド複合体Ｈ２００を構成する磁気ヘッドＨ１００Ｂが磁気テープＴに当接して摺動した際、前記ＭＲ型薄膜磁気ヘッド１１３ｄが磁気テープＴの記録トラックＬ５を走査し、ＭＲ型薄膜磁気ヘッド１１３ｃが磁気テープＴの記録トラックＬ３を走査して、記録情報の読み取りを行う。
【０１１３】
次に、前記回転ドラム１５０ａが１８０°〜３６０°回転したときでは、再び前記磁気ヘッド複合体Ｈ３００が磁気テープＴと当接して摺動し、前記磁気ヘッド複合体Ｈ３００の磁気ヘッドＨ１００Ｃ、Ｈ１００Ｄに形成されたＭＲ型薄膜磁気ヘッド１１３ｅ、１１３ｆ、１１３ｇ、１１３ｈは、前記磁気ヘッド複合体Ｈ２００の磁気ヘッドＨ１００Ａ、Ｈ１００Ｂに形成されたＭＲ型薄膜磁気ヘッド１１３ａ、１１３ｂ、１１３ｃ、１１３ｄが走査した記録トラックに隣接する記録トラックを走査する。この際、前記磁気ヘッド複合体Ｈ２００によって記録トラックの走査が開始された時点から、前記磁気ヘッド複合体Ｈ３００が記録トラックの走査を開始するまでに、磁気テープＴが２トラック分移送される。
【０１１４】
すなわち、前記回転ドラム１５０ａが１８０°〜３６０°回転したときでは、前記磁気ヘッド複合体Ｈ３００を構成する磁気ヘッドＨ１００Ｃが磁気テープＴと当接して摺動し、この際、まず前記ＭＲ型薄膜磁気ヘッド１１３ｆが磁気テープＴの記録トラックＲ６を走査し、ＭＲ型薄膜磁気ヘッド１１３ｅが磁気テープＴの記録トラックＲ４を走査して、記録情報の読み取りを行う。次に、前記磁気ヘッド複合体Ｈ３００を構成する磁気ヘッドＨ１００Ｄが磁気テープＴに当接して摺動し、この際、前記ＭＲ型薄膜磁気ヘッド１１３ｈが磁気テープＴの記録トラックＬ６を走査し、ＭＲ型薄膜磁気ヘッド１１３ｇが磁気テープＴの記録トラックＬ４を走査して、記録情報の読み取りを行う。
【０１１５】
このようにして、以降連続して前記回転ドラム１５０ａが回転し、記録情報の読み取りを行って行く。
【０１１６】
このように、前記回転ヘッド装置１５０も前記回転ヘッド装置１００と同様、前記磁気ヘッドＨ１００Ａ、Ｈ１００Ｂ、Ｈ１００Ｃ、Ｈ１００Ｄにそれぞれ２つずつのＭＲ型薄膜磁気ヘッドが形成されているため、コストの低減化、および、磁気テープの記録トラックの位置に、ＭＲ型薄膜磁気ヘッドの走査位置を合致させ易い。
【０１１７】
この際、例えば磁気ヘッドＨ１００Ａは、１回目の走査でＭＲ型薄膜磁気ヘッド１１３ａと１１３ｂにより、記録トラックＲ１とＲ３の記録情報を同時に読み取り、記録トラックＲ２の読み取りは行わない。また、２回目の走査でＭＲ型薄膜磁気ヘッド１１３ａと１１３ｂにより、記録トラックＲ３とＲ５の記録情報を同時に読み取り、記録トラックＲ４の記録情報の読み取りは行わない。
【０１１８】
同様に、磁気ヘッドＨ１００Ｂは、１回目の走査でＭＲ型薄膜磁気ヘッド１１３ｃと１１３ｄにより、記録トラックＬ１とＬ３の記録情報を同時に読み取り、記録トラックＬ２の読み取りは行わない。また、２回目の走査でＭＲ型薄膜磁気ヘッド１１３ｃと１１３ｄにより、記録トラックＬ３とＬ５の記録情報を同時に読み取り、記録トラックＬ４の記録情報の読み取りは行わない。
【０１１９】
磁気ヘッドＨ１００Ｃでは、１回目の走査でＭＲ型薄膜磁気ヘッド１１３ｅと１１３ｆにより、記録トラックＲ２とＲ４の記録情報を同時に読み取り、記録トラックＲ３の読み取りは行わない。また、２回目の走査でＭＲ型薄膜磁気ヘッド１１３ｅと１１３ｆにより、記録トラックＲ４とＲ６の記録情報を同時に読み取り、記録トラックＲ５の記録情報の読み取りは行わない。
【０１２０】
磁気ヘッドＨ１００Ｄでは、１回目の走査でＭＲ型薄膜磁気ヘッド１１３ｇと１１３ｈにより、記録トラックＬ２とＬ４の記録情報を同時に読み取り、記録トラックＬ３の読み取りは行わない。また、２回目の走査でＭＲ型薄膜磁気ヘッド１１３ｇと１１３ｈにより、記録トラックＬ４とＬ６の記録情報を同時に読み取り、記録トラックＬ５の記録情報の読み取りは行わない。
【０１２１】
このように、前記回転ヘッド装置１５０が搭載された磁気記録再生装置では、同じアジマスが付された複数の記録トラックのうち、１つの記録トラックを飛び越した位置関係にある複数の記録トラックを同時に走査して記録情報の読み取りを行う。このように構成することにより、磁気ヘッドＨ１００Ａ、Ｈ１００Ｂ、Ｈ１００Ｃ、Ｈ１００Ｄに形成するＭＲ型薄膜磁気ヘッド１１３ａおよび１１３ｂ、１１３ｃおよび１１３ｄ、１１３ｅおよび１１３ｆ、１１３ｇおよび１１３ｈの長手方向の間隔を大きく取ることができるため、高記録密度化に伴なう狭トラック化の場合でも、前記各ＭＲ型薄膜磁気ヘッド１１３ａおよび１１３ｂ、１１３ｃおよび１１３ｄ、１１３ｅおよび１１３ｆ、１１３ｇおよび１１３ｈの両側端部にハードバイアス層などの構成部材を配置することが可能となる。
【０１２２】
また、前記回転ヘッド装置１５０が搭載された磁気記録再生装置では、前記回転ドラム１５０ａが１回転する毎に、同方向のアジマスの記録トラックを４つづつ、すなわち合計８トラックの記録情報の読み取りが可能である。しかし、前記回転ヘッド装置１５０が搭載された磁気記録再生装置では、２回転目以降は前に読み取ったＲトラックおよびＬトラックのそれぞれの記録トラックを、ＭＲ型薄膜磁気ヘッド１１３ａ，１１３ｃ，１１３ｅおよび１１３ｇが再度読み取ることになる。
【０１２３】
前記の例でいえば、前記回転ドラム１５０ａの１回転目では、前記磁気ヘッドＨ１００Ａに形成された前記ＭＲ型薄膜磁気ヘッド１１３ｂがＲ３トラックの記録情報を読み取り、前記磁気ヘッドＨ１００Ｂに形成された前記ＭＲ型薄膜磁気ヘッド１１３ｄがＬ３トラックの記録情報の読み取り、前記薄膜磁気ヘッドＨ１００Ｃに形成された前記ＭＲ型薄膜磁気ヘッド１１３ｆがＲ４トラックの読み取り、前記磁気ヘッドＨ１００Ｄに形成された前記ＭＲ型薄膜磁気ヘッド１１３ｈがＬ４トラックの読み取りを行う。しかし、前記回転ドラム１５０ａの２回転目で、前記磁気ヘッドＨ１００Ａに形成された前記ＭＲ型薄膜磁気ヘッド１１３ａが前記１回転目で記録情報の読み取りが行なわれたＲ３トラックの記録情報を読み取り、前記磁気ヘッドＨ１００Ｂに形成された前記ＭＲ型薄膜磁気ヘッド１１３ｃが前記１回転目で記録情報の読み取りが行なわれたＬ３トラックの記録情報を読み取り、前記磁気ヘッドＨ１００Ｃに形成された前記ＭＲ型薄膜磁気ヘッド１１３ｅが前記１回転目で記録情報の読み取りが行なわれたＲ４トラックの記録情報を読み取り、前記磁気ヘッドＨ１００Ｄに形成された前記ＭＲ型薄膜磁気ヘッド１１３ｇが前記１回転目で記録情報の読み取りが行なわれたＬ４トラックの記録情報の読み取りを行う。
【０１２４】
また、前記図１１には図示していないが、前記回転ドラム１５０ａの３回転目では、前記磁気ヘッドＨ１００Ａに形成された前記ＭＲ型薄膜磁気ヘッド１１３ａが前記２回転目で記録情報の読み取りが行われたＲ５トラックの記録情報を再度読み取り、前記磁気ヘッドＨ１００Ｂに形成された前記ＭＲ型薄膜磁気ヘッド１１３ｃが前記２回転目で記録情報の読み取りが行われたＬ５トラックの記録情報を再度読み取り、前記磁気ヘッドＨ１００Ｃに形成された前記ＭＲ型薄膜磁気ヘッド１１３ｅが前記２回転目で記録情報の読み取りが行われたＲ６トラックの記録情報を再度読み取り、前記磁気ヘッドＨ１００Ｄに形成された前記ＭＲ型薄膜磁気ヘッド１１３ｇが前記２回転目で記録情報の読み取りが行われたＬ６トラックの記録情報を再度読み取る。この際、前記磁気ヘッドＨ１００Ａに形成された前記ＭＲ型薄膜磁気ヘッド１１３ｂはまだ記録情報の読み取りが行われていないＲ７トラックの記録情報を読み取り、また前記薄膜磁気ヘッドＨ１００Ｂに形成された前記ＭＲ型薄膜磁気ヘッド１１３ｄがまだ記録情報の読み取りが行われていないＬ７トラックの記録情報の読み取り、前記磁気ヘッドＨ１００Ｃに形成された前記ＭＲ型薄膜磁気ヘッド１１３ｆはまだ記録情報の読み取りが行われていないＲ８トラックの記録情報を読み取り、前記磁気ヘッドＨ１００Ｄに形成された前記ＭＲ型薄膜磁気ヘッド１１３ｈはまだ記録情報の読み取りが行われていないＬ８トラックの記録情報の読み取りを行う。
【０１２５】
したがって、前記回転ヘッド装置１５０が搭載された磁気記録再生装置では、磁気テープＴの記録トラックに記録された情報の読み取り効率を高くすることはできないため、実質的に磁気テープＴの転送レートを大きくすることはできない。
【０１２６】
しかし、前記回転ヘッド装置１５０が搭載された磁気記録再生装置では、前記回転ドラム１５０ａの回転開始から２回転目という早期に、記録トラックの２度読みが開始される。したがって、記録情報の読み取り不良が発生した場合でも、早期から、記録情報の再読み取り作業を省略することができる。
【０１２７】
前記前記各ＭＲ型薄膜磁気ヘッド１１３ａおよび１１３ｂ、１１３ｃおよび１１３ｄ、１１３ｅおよび１１３ｆ、１１３ｇおよび１１３ｈにより読み取った記録情報は、磁気記録再生装置に設けられた記録信号処理部（図示せず）によって記録情報の読み取り不良の有無が検知され、読み取り不良が発生した場合には制御部（図示せず）へその旨の信号を伝達し、制御部が回転ドラム１５０ａを回転駆動するためのモータ（図示せず）、およびキャプスタンの回転を制御して磁気テープを巻き戻し、記録信号の再読み取りを行う。
【０１２８】
記録情報が記録された磁気テープＴはフレームＦ１およびフレームＦ２のそれぞれのフレームにより垂直同期信号間の１画面が形成される。したがって、前記のように読み取った記録情報は、読み取り順序が再生順序に一致していない。したがって、図９に示すように、前記各磁気ヘッドＨ１００Ａ、Ｈ１００Ｂ、Ｈ１００Ｃ、Ｈ１００Ｄで読み取った記録情報をバッファメモリに記憶させ、エラー訂正を行い、記録情報を再生順序に再配置した後、読み取った記録情報の出力を行う。
【０１２９】
図１３は磁気ヘッドが搭載された状態で磁気記録再生装置に設けられる回転ヘッド装置の第２の実施の形態を示す平面図、図１４および図１５は図１３に示す回転ヘッド装置に磁気テープが接触した状態を示す部分拡大図、図１６は磁気テープの記録面と磁気ヘッドの走査との関係を磁気ヘッド側から示した平面図である。
【０１３０】
図１３に示す回転ヘッド装置４００は、映像機器での磁気記録再生装置、またはコンピュータ用のデータを保存する磁気記録再生装置などの磁気記録再生装置に搭載されている。
【０１３１】
前記回転ヘッド装置４００のうち、図１に示した回転ヘッド装置１００と同様の構成部分には前記回転ヘッド装置１００と同じ符号を付して、その詳しい説明を省略する。
【０１３２】
図１３に示す回転ヘッド装置４００では、固定ドラム（図示せず）が固定され、前記固定ドラム上に、これと同軸の回転ドラム４００ａが回転自在に支持され、モータの動力により前記回転ドラム４００ａが図示矢印方向へ回転駆動される。記録媒体である磁気テープＴは、回転ヘッド装置４００にヘリカル軌跡にて所定角度で巻付けられて矢印方向へ走行する。この間、前記回転ドラム４００ａが回転し、この回転ドラム４００ａに搭載された磁気ヘッドＨ１００ＡおよびＨ１００Ｂが磁気テープＴを走査する。この磁気ヘッドＨ１００ＡおよびＨ１００Ｂは、図１に示す前記回転ドラム１００ａに搭載されたものと同じものである。
【０１３３】
図１３に示すように、前記回転ヘッド装置４００では、再生用の２つの磁気ヘッドＨ１００ＡとＨ１００Ｂが、前記回転ドラム４００ａの中心点Ｏ２を通る中心線Ｏ２−Ｏ２線上に対向して設けられている。
【０１３４】
前記磁気テープＴは、前記回転ドラム４００ａに対して１８０°以下の巻き付け角度で巻き付けられることが好ましい。磁気テープＴが前記巻き付け角度で前記回転ドラム４００ａに巻き付けられるものとして構成すると、前記磁気ヘッドＨ１００Ａでの記録情報の読み取りと、Ｈ１００Ｂでの記録情報の読み取りとが同時に行なわれることが無く、いわゆるクロストークを防止することが可能となる。
【０１３５】
前記磁気ヘッドＨ１００Ａは前記回転ドラム４００ａに搭載された状態で図１４に示す状態で前記磁気テープＴと当接する。このとき、図１４に示すα方向が前記回転ドラム４００ａの回転方向であり、β方向が磁気テープＴの摺動方向である縦方向となる。
【０１３６】
同様に、前記磁気ヘッドＨ１００Ｂは前記回転ドラム４００ａに搭載された状態で図１５に示す状態で前記磁気テープＴと当接し、図１５に示すα方向が前記回転ドラム４００ａの回転方向、β方向が磁気テープＴの摺動方向である縦方向となる。
【０１３７】
図１６に示すように前記回転ヘッド装置４００では、ＲトラックおよびＬトラックの記録トラックが形成されている磁気テープＴに前記磁気ヘッドＨ１００Ａが走査したとき、前記磁気ヘッドＨ１００Ａに形成されたＭＲ型薄膜磁気ヘッド１１３ａおよび１１３ｂがＲトラックを走査して記録信号の読み取りを行う。また、前記磁気テープＴに前記磁気ヘッドＨ１００Ｂが走査したとき、前記磁気ヘッドＨ１００Ｂに形成されたＭＲ型薄膜磁気ヘッド１１３ｃおよび１１３ｄはＬトラックを走査して記録信号の読み取りを行う。
【０１３８】
以下に、前記回転ヘッド装置４００の回転と、前記記録テープＴの記録トラック走査の関係を説明する。
【０１３９】
図１７は前記回転ドラム４００ａの回転と、前記回転ドラム４００ａに搭載された前記磁気ヘッドＨ１００ＡおよびＨ１００Ｂに形成された前記各ＭＲ型薄膜磁気ヘッド１１３ａ、１１３ｂ、１１３ｃおよび１１３ｄの記録トラック走査の関係を示す図である。
【０１４０】
図１６および図１７に示すように、前記回転ドラム４００ａの１回転目においては、０°〜１８０°では、まず前記磁気ヘッドＨ１００Ａが磁気テープＴと当接して摺動する。この際、まず前記ＭＲ型薄膜磁気ヘッド１１３ｂが磁気テープＴの記録トラックＲ３を走査し、ＭＲ型薄膜磁気ヘッド１１３ａが磁気テープＴの記録トラックＲ１を走査して、記録情報の読み取りを行う。
【０１４１】
次に、前記回転ドラム４００ａが１８０°〜３６０°回転したときでは、前記磁気ヘッドＨ１００Ｂが磁気テープＴと当接して摺動し、記録トラックを走査する。この際、前記磁気ヘッドＨ１００Ｂに形成されたＭＲ型薄膜磁気ヘッド１１３ｃ、１１３ｄが、前記磁気ヘッドＨ１００Ａに形成されたＭＲ型薄膜磁気ヘッド１１３ａ、１１３ｂが走査した記録トラックに隣接する記録トラックを走査するような位置関係で、前記各磁気ヘッドＨ１００ＡとＨ１００Ｂとが前記回転ドラム４００ａに配置される。ここで、前記磁気ヘッドＨ１００Ａによって記録トラックの走査が開始された時点から、前記磁気ヘッドＨ１００Ｂが記録トラックの走査を開始するまでに、磁気テープＴが１トラック分移送される。
【０１４２】
すなわち、回転ドラム４００ａが１８０°〜３６０°回転したときでは、前記磁気ヘッドＨ１００Ｂが磁気テープＴに当接して摺動する。この際、前記ＭＲ型薄膜磁気ヘッド１１３ｄが磁気テープＴの記録トラックＬ３を走査し、ＭＲ型薄膜磁気ヘッド１１３ｃが磁気テープＴの記録トラックＬ１を走査して、記録情報の読み取りを行う。
【０１４３】
次に、前記回転ドラム４００ａが２回転目の回転を開始する。この際、前記磁気ヘッドＨ１００Ｂによって記録トラックの走査が開始された時点から、前記磁気ヘッドＨ１００Ａが記録トラックの走査を開始するまでに、磁気テープＴが１トラック分移送される。
【０１４４】
前記回転ドラム４００ａの２回転目においては、図１６および図１７に示すように、０°〜１８０°では、まず前記磁気ヘッドＨ１００Ａが磁気テープＴと当接して摺動した際、まず前記ＭＲ型薄膜磁気ヘッド１１３ｂが磁気テープＴの記録トラックＲ４を走査し、ＭＲ型薄膜磁気ヘッド１１３ａが磁気テープＴの記録トラックＲ２を走査して、記録情報の読み取りを行う。
【０１４５】
次に、前記回転ドラム４００ａが１８０°〜３６０°回転したときでは、再び前記磁気ヘッドＨ１００Ｂが磁気テープＴと当接して摺動し、前記磁気ヘッドＨ１００Ｂに形成されたＭＲ型薄膜磁気ヘッド１１３ｃ、１１３ｄは、前記磁気ヘッドＨ１００Ａに形成されたＭＲ型薄膜磁気ヘッド１１３ａ、１１３ｂが走査した記録トラックに隣接する記録トラックを走査する。この際、前記磁気ヘッドＨ１００Ａによって記録トラックの走査が開始された時点から、前記磁気ヘッドＨ１００Ｂが記録トラックの走査を開始するまでに、磁気テープＴが１トラック分移送される。
【０１４６】
すなわち、前記回転ドラム４００ａが１８０°〜３６０°回転したときでは、前記磁気ヘッドＨ１００Ｂが磁気テープＴに当接して摺動した際、前記ＭＲ型薄膜磁気ヘッド１１３ｄが磁気テープＴの記録トラックＬ４を走査し、ＭＲ型薄膜磁気ヘッド１１３ｃが磁気テープＴの記録トラックＬ２を走査して、記録情報の読み取りを行う。
【０１４７】
次に、前記回転ドラム４００ａが３回転目の回転を開始する。この際、前記磁気ヘッドＨ１００Ｂによって記録トラックの走査が開始された時点から、前記磁気ヘッドＨ１００Ａが記録トラックの走査を開始するまでに、磁気テープＴが１トラック分移送される。
【０１４８】
前記回転ドラム４００ａの３回転目においては、図１６および図１７に示すように、０°〜１８０°では、まず前記磁気ヘッドＨ１００Ａが磁気テープＴと当接して摺動した際、まず前記ＭＲ型薄膜磁気ヘッド１１３ｂが磁気テープＴの記録トラックＲ５を走査し、ＭＲ型薄膜磁気ヘッド１１３ａが磁気テープＴの記録トラックＲ３を走査して、記録情報の読み取りを行う。
【０１４９】
次に、前記回転ドラム４００ａが１８０°〜３６０°回転したときでは、再び前記磁気ヘッドＨ１００Ｂが磁気テープＴと当接して摺動し、前記磁気ヘッドＨ１００Ｂに形成されたＭＲ型薄膜磁気ヘッド１１３ｃ、１１３ｄは、前記磁気ヘッドＨ１００Ａに形成されたＭＲ型薄膜磁気ヘッド１１３ａ、１１３ｂが走査した記録トラックに隣接する記録トラックを走査する。この際、前記磁気ヘッドＨ１００Ａによって記録トラックの走査が開始された時点から、前記磁気ヘッドＨ１００Ｂが記録トラックの走査を開始するまでに、磁気テープＴが１トラック分移送される。
【０１５０】
すなわち、前記回転ドラム４００ａが１８０°〜３６０°回転したときでは、前記磁気ヘッドＨ１００Ｂが磁気テープＴに当接して摺動した際、前記ＭＲ型薄膜磁気ヘッド１１３ｄが磁気テープＴの記録トラックＬ５を走査し、ＭＲ型薄膜磁気ヘッド１１３ｃが磁気テープＴの記録トラックＬ３を走査して、記録情報の読み取りを行う。
【０１５１】
このようにして、以降連続して前記回転ドラム４００ａが回転し、記録情報の読み取りを行って行く。
【０１５２】
このように、前記磁気ヘッドＨ１００ＡおよびＨ１００Ｂには、それぞれ２つずつのＭＲ型薄膜磁気ヘッドが形成されているため、転送レートを大きくするために前記回転ドラム４００ａに搭載する磁気ヘッドの数を大きく増やす必要がなく、コストの低減を図ることが可能となる。また、近年の高記録密度化の状況であっても、前記回転ヘッド装置４００では搭載する磁気ヘッドの数を大きく増やす必要がないため、記録トラックと、前記各ＭＲ型薄膜磁気ヘッド１１３ａ、１１３ｂ、１１３ｃ、１１３ｄの走査位置を合致させ易い。
【０１５３】
この際、例えば磁気ヘッドＨ１００Ａは、１回目の走査でＭＲ型薄膜磁気ヘッド１１３ａと１１３ｂにより、記録トラックＲ１とＲ３の記録情報を同時に読み取り、記録トラックＲ２の読み取りは行わない。また、２回目の走査でＭＲ型薄膜磁気ヘッド１１３ａと１１３ｂにより、記録トラックＲ２とＲ４の記録情報を同時に読み取り、記録トラックＲ３の記録情報の読み取りは行わない。さらに、３回目の走査でＭＲ型薄膜磁気ヘッド１１３ａと１１３ｂにより、記録トラックＲ３とＲ５の記録情報を同時に読み取り、記録トラックＲ４の記録情報の読み取りは行わない。
【０１５４】
同様に、磁気ヘッドＨ１００Ｂは、１回目の走査でＭＲ型薄膜磁気ヘッド１１３ｃと１１３ｄにより、記録トラックＬ１とＬ３の記録情報を同時に読み取り、記録トラックＬ２の読み取りは行わない。また、２回目の走査でＭＲ型薄膜磁気ヘッド１１３ｃと１１３ｄにより、記録トラックＬ２とＬ４の記録情報を同時に読み取り、記録トラックＬ３の記録情報の読み取りは行わない。さらに、３回目の走査でＭＲ型薄膜磁気ヘッド１１３ｃと１１３ｄにより、記録トラックＬ３とＬ５の記録情報を同時に読み取り、記録トラックＬ４の記録情報の読み取りは行わない。
【０１５５】
このように、前記回転ヘッド装置４００が搭載された磁気記録再生装置では、同じアジマスが付された複数の記録トラックのうち、１つの記録トラックを飛び越した位置関係にある複数の記録トラックを同時に走査して記録情報の読み取りを行う。このように構成することにより、磁気ヘッドＨ１００ＡおよびＨ１００Ｂに形成するＭＲ型薄膜磁気ヘッド１１３ａおよび１１３ｂ、１１３ｃおよび１１３ｄの長手方向の間隔を大きく取ることができるため、高記録密度化に伴なう狭トラック化の場合でも、前記各ＭＲ型薄膜磁気ヘッド１１３ａおよび１１３ｂ、１１３ｃおよび１１３ｄの両側端部にハードバイアス層などの構成部材を配置することが可能となる。
【０１５６】
また、前記回転ヘッド装置４００が搭載された磁気記録再生装置では、前記回転ドラム４００ａが１回転する毎に、同方向のアジマスの記録トラックを２つづつ、すなわち合計４トラックの記録情報の読み取りが可能である。しかし、前記回転ヘッド装置４００が搭載された磁気記録再生装置では、３回転目以降は前に読み取ったＲトラックおよびＬトラックのそれぞれの記録トラックを、ＭＲ型薄膜磁気ヘッド１１３ａおよび１１３ｃが再度読み取ることになる。
【０１５７】
前記の例でいえば、前記回転ドラム４００ａの１回転目では、前記磁気ヘッドＨ１００Ａに形成された前記ＭＲ型薄膜磁気ヘッド１１３ｂがＲ３トラックの記録情報を読み取り、また前記磁気ヘッドＨ１００Ｂに形成された前記ＭＲ型薄膜磁気ヘッド１１３ｄがＬ３トラックの記録情報の読み取りを行う。しかし、前記回転ドラム４００ａの３回転目で、前記磁気ヘッドＨ１００Ａに形成された前記ＭＲ型薄膜磁気ヘッド１１３ａが前記１回転目で記録情報の読み取りが行なわれたＲ３トラックの記録情報を読み取り、また前記磁気ヘッドＨ１００Ｂに形成された前記ＭＲ型薄膜磁気ヘッド１１３ｃが前記１回転目で記録情報の読み取りが行なわれたＬ３トラックの記録情報の読み取りを行う。また、前記図１６には図示していないが、前記回転ドラム４００ａの４回転目では、前記磁気ヘッドＨ１００Ａに形成された前記ＭＲ型薄膜磁気ヘッド１１３ａが前記２回転目で記録情報の読み取りが行われたＲ４トラックの記録情報を再度読み取り、また前記磁気ヘッドＨ１００Ｂに形成された前記ＭＲ型薄膜磁気ヘッド１１３ｃが前記２回転目で記録情報の読み取りが行われたＬ４トラックの記録情報を再度読み取る。この際、前記磁気ヘッドＨ１００Ａに形成された前記ＭＲ型薄膜磁気ヘッド１１３ｂはまだ記録情報の読み取りが行われていないＲ６トラックの記録情報を読み取り、また前記磁気ヘッドＨ１００Ｂに形成された前記ＭＲ型薄膜磁気ヘッド１１３ｄがまだ記録情報の読み取りが行われていないＬ６トラックの記録情報の読み取りを行う。
【０１５８】
したがって、前記回転ヘッド装置４００が搭載された磁気記録再生装置では、磁気テープＴの記録トラックに記録された情報の読み取り効率を高くすることはできないため、実質的に磁気テープＴの転送レートを大きくすることはできない。
【０１５９】
しかし、前記回転ヘッド装置４００が搭載された磁気記録再生装置では、３回転目以降に記録トラックを２度読みすることによって、記録情報の読み取り不良が発生した場合でも、記録媒体の再読み取り作業を省略することができる。ここで回転ヘッド装置４００では、回転ドラム４００ａに２つの磁気ヘッドＨ１００ＡとＨ１００Ｂが搭載されており、図１０に示した回転ヘッド装置１５０よりも回転ドラム４００ａに搭載されている磁気ヘッドの数が少ない。したがって、前記回転ヘッド装置４００の構成とすることによって、記録媒体の再読み取り作業を省略することができる回転ヘッド装置を、低コスト且つ容易に製造することができる。
【０１６０】
記録情報が記録された磁気テープＴはフレームＦ１およびフレームＦ２のそれぞれのフレームにより垂直同期信号間の１画面が形成される。したがって、前記のように読み取った記録情報は、読み取り順序が再生順序に一致していない。したがって、図１５に示すように、前記各磁気ヘッドＨ１００Ａ、Ｈ１００Ｂで読み取った記録情報をバッファメモリに記憶させ、エラー訂正を行い、記録情報を再生順序に再配置した後、読み取った記録情報の出力を行う。
【０１６１】
以上、本発明の回転ヘッド装置について、同じ方向のアジマスで記録された複数の異なる記録トラックのうち、１つの記録トラックを飛び越した位置関係にある２つの記録トラックを、１つの磁気ヘッドで同時に走査して記録情報の読み取りを行うものを例にして説明したが、本発明はこのような実施の形態に限定されるものではない。したがって、同じ方向のアジマスで記録された複数の異なる記録トラックのうち、２つ以上の記録トラックを飛び越した位置関係にある２つの記録トラックを１つの磁気ヘッドで同時に走査して記録情報の読み取りを行うものであっても良い。このように構成すると、１つの磁気ヘッドに形成された複数の磁気再生素子について、各磁気再生素子間の長手方向の間隔をさらに大きくとることが可能であるため、狭トラック化においても、磁気再生素子の両側端部にハードバイアス層などの構成部材を容易に配置できる。
【０１６２】
また、１つの磁気ヘッドで同時に走査する記録トラックは２つに限定されるものではなく、１つの磁気ヘッドに３つ以上の磁気再生素子を設け、これら各磁気再生素子のそれぞれによって、３つ以上の記録トラックを同時に走査して、記録情報の読み取りを行うものであっても良い。このように構成すると、記録媒体の転送レートをさらに大きくすることができるため、回転ヘッドに搭載する磁気ヘッドの数をさらに減少させることができる。したがって、低コスト化を効果的に図ることができるとともに、記録トラックと前記磁気再生素子の走査位置をさらに合致させ易くなる。
【０１６３】
【発明の効果】
本発明の回転ヘッド装置は、搭載された磁気ヘッドに設けられた２つ以上の磁気再生素子のそれぞれが、磁気テープなどの記録媒体の記録トラックのうち、同じ方向のアジマス角度で記録された複数の異なる記録トラックを同時に走査して記録の読み取りを行う。したがって、１つの磁気ヘッドの一回の走査で複数の記録トラックの記録情報を読み取ることができるため、記録媒体の転送レートを大きくすることができる。また、前記転送レートを大きくするために多くの磁気ヘッドを回転ドラムに搭載する必要がなく、低コスト化を図ることができる。また、搭載する磁気ヘッドの数を大きく増やす必要がないため、記録トラックと前記磁気再生素子の走査位置を合致させ易い。
【０１６４】
また、１つの磁気ヘッドに形成された複数の磁気再生素子について、各磁気再生素子間の長手方向の間隔を大きくとることが可能であるため、狭トラック化においても、磁気再生素子の両側端部にハードバイアス層などの構成部材を配置することが可能となる。
【０１６５】
さらに、磁気再生素子のいずれかが、既に走査された記録トラックを走査するものでは、記録情報の読み取り不良が発生した場合でも、記録情報の再読み取り作業が不要となる。
【図面の簡単な説明】
【図１】本発明の第１の実施の第１の例の形態の回転ヘッド装置を示す平面図、
【図２】図１に示す回転ヘッド装置に磁気テープが接触した状態を示す部分拡大図、
【図３】図１に示す回転ヘッド装置に搭載された磁気ヘッドの一例を示す斜視図、
【図４】図３に示す磁気ヘッドを磁気テープとの対向面側から見た平面図、
【図５】図１に示す回転ヘッド装置に搭載された磁気ヘッドの他の例を示す斜視図、
【図６】図５に示す磁気ヘッドを磁気テープとの対向面側から見た平面図、
【図７】磁気テープの記録トラックと図１に示す回転ヘッド装置に搭載された磁気ヘッドの走査との関係を示す平面図、
【図８】図１に示す回転ヘッド装置に搭載された回転ドラムの回転と、前記回転ドラムに搭載された磁気ヘッドと記録トラック走査との関係を示す図、
【図９】図１に示す回転ヘッド装置に搭載された磁気ヘッドで読み取った記録情報を出力するまでの経過を示す図、
【図１０】本発明の第１の実施の形態の第２の例の回転ヘッド装置を示す平面図、
【図１１】磁気テープの記録トラックと図１０に示す回転ヘッド装置に搭載された磁気ヘッドの走査との関係を示す平面図、
【図１２】図１０に示す回転ヘッド装置に搭載された回転ドラムの回転と、前記回転ドラムに搭載された磁気ヘッドと記録トラック走査との関係を示す図、
【図１３】本発明の第２の実施の形態の回転ヘッド装置を示す平面図、
【図１４】図１３に示す回転ヘッド装置に磁気テープが接触した状態を示す部分拡大図、
【図１５】図１３に示す回転ヘッド装置に磁気テープが接触した状態を示す部分拡大図、
【図１６】磁気テープの記録トラックと図１３に示す回転ヘッド装置に搭載された磁気ヘッドの走査との関係を示す平面図、
【図１７】図１３に示す回転ヘッド装置に搭載された回転ドラムの回転と、前記回転ドラムに搭載された磁気ヘッドと記録トラック走査との関係を示す図、
【図１８】図１３に示す回転ヘッド装置に搭載された磁気ヘッドで読み取った記録情報を出力するまでの経過を示す図、
【図１９】従来の回転ヘッド装置を示す平面図、
【図２０】図１９に示す回転ヘッド装置に磁気テープが接触した状態を示す部分拡大図、
【図２１】図１９に示す回転ヘッド装置に搭載された磁気ヘッドの一例を示す斜視図、
【図２２】図２１に示す磁気ヘッドを磁気テープとの対向面側から見た平面図、
【図２３】図１９に示す回転ヘッド装置に搭載された他の例の磁気ヘッドを磁気テープとの対向面側から見た平面図、
【図２４】磁気テープの記録トラックと図１に示す回転ヘッド装置に搭載された磁気ヘッドの走査との関係を示す平面図、
【符号の説明】
１００，１５０，４００  回転ヘッド装置
１００ａ，１５０ａ，４００ａ  回転ドラム
１１２  基体
１１３ａ，１１３ｂ，１１３ｃ，１１３ｄ，１１３ｅ，１１３ｆ，１１３ｇ，１１３ｈ  ＭＲ型薄膜磁気ヘッド
１１４  絶縁層
１１５  保護基体
１１６  磁気ギャップ
１１７  電極
２３１，２３２  リールハブ
２３３  ローディングポスト
２３４  ピンチローラ
２３５  キャプスタン
２３６  磁気テープ送り手段
Ｈ１００Ａ，Ｈ１００Ｂ，Ｈ１００Ｃ，Ｈ１００Ｄ  磁気ヘッド
Ｈ１００Ａ１，Ｈ１００Ｂ１，Ｈ１００Ｃ１，Ｈ１００Ｄ１  対向面
Ｈ２００，Ｈ３００  磁気ヘッド複合体
【図１】
2004164751.tif 000003
【図２】
2004164751.tif 000004
【図３】
2004164751.tif 000005
【図４】
2004164751.tif 000006
【図５】
2004164751.tif 000007
【図６】
2004164751.tif 000008
【図７】
2004164751.tif 000009
【図８】
2004164751.tif 000010
【図９】
2004164751.tif 000011
【図１０】
2004164751.tif 000012
【図１１】
2004164751.tif 000013
【図１２】
2004164751.tif 000014
【図１３】
2004164751.tif 000015
【図１４】
2004164751.tif 000016
【図１５】
2004164751.tif 000017
【図１６】
2004164751.tif 000018
【図１７】
2004164751.tif 000019
【図１８】
2004164751.tif 000020
【図１９】
2004164751.tif 000021
【図２０】
2004164751.tif 000022
【図２１】
2004164751.tif 000023
【図２２】
2004164751.tif 000024
【図２３】
2004164751.tif 000025
【図２４】
2004164751.tif 000026